(57)【要約】      （修正有）【課題】より明るく発光することのできる電飾器を提供する。【解決手段】下端から光Ｌが入射される入射部６１、及び入射部６１の上端に連設されて外周面の光拡散面から光Ｌが出射される出射部６２を有するレンズ６と、入射部６１の下端からレンズ６へ入射させる光Ｌを照射する複数の発光素子７，…と、少なくともレンズ６の外周の回りを取り囲む半透明のカバー部と、を備える電飾器であって、複数の発光素子７，…は、レンズ６の入射部６１の下面に対し、当該下面の外周縁に沿うように対向配置されている。【選択図】図３
0003148965.tif 000002
【実用新案登録請求の範囲】
【請求項１】
一端から光が入射される柱状の入射部、及び前記入射部の他端に連設されて外周面の光拡散部から光が出射される出射部を有するレンズと、
前記入射部の前記一端から前記レンズへ入射させる光を照射する複数の発光素子と、
少なくとも前記レンズの外周の回りを取り囲む半透明のカバー部と、
を備える電飾器であって、
前記複数の発光素子は、前記レンズの前記入射部の前記一端側の面に対し、当該一端側の面の外周縁に沿うように対向配置されていることを特徴とする電飾器。
【請求項２】
前記レンズには、前記入射部の前記一端側の面に開口する中抜き部が穿設されていることを特徴とする請求項１に記載の電飾器。
【請求項３】
前記中抜き部は、前記レンズの肉厚が一様になるよう穿設されていることを特徴とする請求項２に記載の電飾器。
【請求項４】
前記中抜き部は、少なくとも前記入射部の内側面を含んで画成され、
前記入射部の内側面は遮光されていることを特徴とする請求項２又は３に記載の電飾器。
【請求項５】
前記レンズの前記入射部の前記一端には、外方へ張り出す鍔部が形成され、
前記複数の発光素子は、前記鍔部を含む前記入射部の前記一端側の面に対して、対向配置されていることを特徴とする請求項２から４いずれか一項に記載の電飾器。
【請求項６】
前記鍔部における前記入射部の前記他端側の面は、少なくとも一部が、前記入射部の前記他端側へ傾斜する内向きのテーパー状に形成されていることを特徴とする請求項５に記載の電飾器。
【請求項７】
前記出射部は尖頭状に形成されるとともに前記光拡散部が半透明の橙色に着色され、
前記入射部は前記一端側の側周面が青色に着色され、
前記複数の発光素子は白色光を出射することを特徴とする請求項１から４いずれか一項に記載の電飾器。
【請求項８】
前記複数の発光素子を発光制御するための点灯制御信号を生成する点灯制御信号生成部を備え、
前記複数の発光素子は、
点灯制御信号生成部で生成された別々の点灯制御信号によって互いに異なる周期で明暗を繰り返すように発光制御される第１発光素子及び第２発光素子と、
点灯制御信号生成部で生成された前記別々の点灯制御信号を所定の時間間隔で交互に切り替えた形の他の点灯制御信号によって発光制御される第３発光素子と、を含む３個以上の発光素子であることを特徴とする請求項１から７いずれか一項に記載の電飾器。
【請求項９】
前記複数の発光素子は、それぞれ複数の前記第１〜第３発光素子からなる第１〜第３発光素子群から構成され、
前記第１発光素子群と前記第２発光素子群とは、それぞれ同数の前記第１発光素子又は前記第２発光素子からなり、
前記第３発光素子群は、前記第１発光素子群と前記第２発光素子郡との間に配置されていることを特徴とする請求項８に記載の電飾器。
【請求項１０】
前記複数の発光素子は、それぞれ同数の前記第１〜第３発光素子からなり、当該第１〜第３発光素子が交互に並ぶように配置されていることを特徴とする請求項８に記載の電飾器。
【考案の詳細な説明】
【技術分野】
【０００１】
本考案は、電飾器に関するものである。
【背景技術】
【０００２】
従来、電飾器として、同一色に発光する複数の発光素子を等間隔に基板の上に取り付け、この基板を覆い、ろうそくの炎をイメージする形状をして、光を拡散および透過する第１カバーと、第１のカバーの外側に設けて少なくとも側面の一部または全部が光を拡散および透過する第２のカバーを設けたものが知られている（例えば、特許文献１）。このように構成された発光素子は、電源を印加すると、個々の周期でそれぞれ明暗を変化させながら点灯し、個々の明暗で点灯させられた明かりは重なり合って、更に第１のカバーおよび第２のカバーで拡散および透過されて、第２のカバーの外から見るとろうそくの炎に近い明かりを実現することができる。
【特許文献１】特開２００４−７１３７６号公報
【考案の開示】
【考案が解決しようとする課題】
【０００３】
しかしながら、上記特許文献１に記載の電飾器では、単純に等間隔に基板上へ配置した複数の発光素子をドーム状の第１カバーで覆っているだけなので、各発光素子が第１カバー全体へ光を出射する結果、当該第１カバー全体で光が一部反射するなどして発光素子からの光が効率良く第１カバーを透過せず、結果として、第２カバーの外から確認できる明かりが十分に明るい光となっていなかった。
【０００４】
本考案は、かかる問題点を解決するためになされたもので、より明るく発光することのできる電飾器を提供することを目的とする。
【課題を解決するための手段】
【０００５】
前記の課題を解決するために、請求項１の考案は、
一端から光が入射される柱状の入射部、及び前記入射部の他端に連設されて外周面の光拡散部から光が出射される出射部を有するレンズと、
前記入射部の前記一端から前記レンズへ入射させる光を照射する複数の発光素子と、
少なくとも前記レンズの外周の回りを取り囲む半透明のカバー部と、
を備える電飾器であって、
前記複数の発光素子は、前記レンズの前記入射部の前記一端側の面に対し、当該一端側の面の外周縁に沿うように対向配置されていることを特徴とする。
【０００６】
請求項２の考案は、請求項１に記載の電飾器であって、
前記レンズには、前記入射部の前記一端側の面に開口する中抜き部が穿設されていることを特徴とする。
【０００７】
請求項３の考案は、請求項２に記載の電飾器であって、
前記中抜き部は、前記レンズの肉厚が一様になるよう穿設されていることを特徴とする。
【０００８】
請求項４の考案は、請求項２又は３に記載の電飾器であって、
前記中抜き部は、少なくとも前記入射部の内側面を含んで画成され、
前記入射部の内側面は遮光されていることを特徴とする。
【０００９】
請求項５の考案は、請求項２から４いずれか一項に記載の電飾器であって、
前記レンズの前記入射部の前記一端には、外方へ張り出す鍔部が形成され、
前記複数の発光素子は、前記鍔部を含む前記入射部の前記一端側の面に対して、対向配置されていることを特徴とする。
【００１０】
請求項６の考案は、請求項５に記載の電飾器であって、
前記鍔部における前記入射部の前記他端側の面は、少なくとも一部が、前記入射部の前記他端側へ傾斜する内向きのテーパー状に形成されていることを特徴とする。
【００１１】
請求項７の考案は、請求項１から４いずれか一項に記載の電飾器であって、
前記出射部は尖頭状に形成されるとともに前記光拡散部が半透明の橙色に着色され、
前記入射部は前記一端側の側周面が青色に着色され、
前記複数の発光素子は白色光を出射することを特徴とする。
【００１２】
請求項８の考案は、請求項１から７いずれか一項に記載の電飾器であって、
前記複数の発光素子を発光制御するための点灯制御信号を生成する点灯制御信号生成部を備え、
前記複数の発光素子は、
点灯制御信号生成部で生成された別々の点灯制御信号によって互いに異なる周期で明暗を繰り返すように発光制御される第１発光素子及び第２発光素子と、
点灯制御信号生成部で生成された前記別々の点灯制御信号を所定の時間間隔で交互に切り替えた形の他の点灯制御信号によって発光制御される第３発光素子と、を含む３個以上の発光素子であることを特徴とする。
【００１３】
請求項９の考案は、請求項８に記載の電飾器であって、
前記複数の発光素子は、それぞれ複数の前記第１〜第３発光素子からなる第１〜第３発光素子群から構成され、
前記第１発光素子群と前記第２発光素子群とは、それぞれ同数の前記第１発光素子又は前記第２発光素子からなり、
前記第３発光素子群は、前記第１発光素子群と前記第２発光素子郡との間に配置されていることを特徴とする。
【００１４】
請求項１０の考案は、請求項８に記載の電飾器であって、
前記複数の発光素子は、それぞれ同数の前記第１〜第３発光素子からなり、当該第１〜第３発光素子が交互に並ぶように配置されていることを特徴とする。
【考案の効果】
【００１５】
請求項１の考案によれば、複数の発光素子が、レンズの入射部の一端側の面に対し、当該一端側の面の外周縁に沿うように対向配置されているので、複数の発光素子がそれぞれに最も近い入射部の部位のみへ光を入射させるため、従来のようにカバー（レンズ）全体で光が一部反射することなく、効率良くレンズ内へ光を入射させることができる。また、内周側に配置するよりも多くの発光素子を配置して十分な光量の光をレンズ内へ入射させることができる。したがって、従来の電飾器に比較して、より明るく発光することができる。
【００１６】
請求項２の考案によれば、レンズには、入射部の一端側の面に開口する中抜き部が穿設されているので、入射部の一端からレンズ内へ入射した光は、中抜き部の外周側のレンズ部分にガイドされて出射部まで伝播する。したがって、入射部の一端から出射部まで光を効率良く伝播させることができ、ひいては、効率良く発光することができる。
また、中抜き部の分だけレンズの容積を減らして、材料コストを低減させることができる。
【００１７】
請求項３の考案によれば、中抜き部は、レンズの肉厚が一様になるよう穿設されているので、レンズの成形時の変形を抑制することができる。したがって、少ないショット数でレンズを製造でき、生産性を高めることができる。
【００１８】
請求項４の考案によれば、中抜き部は、少なくとも入射部の内側面を含んで画成され、この入射部の内側面は遮光されているので、入射部の一端からレンズ内へ入射した光は、入射部の内側面からレンズ外へ出射することなく、より確実に中抜き部の外周側のレンズ部分にガイドされて出射部まで伝播する。したがって、入射部の一端から出射部まで光を更に効率良く伝播させることができ、ひいては、更に効率良く発光することができる。
【００１９】
請求項５の考案によれば、レンズの入射部の一端には外方へ張り出す鍔部が形成され、複数の発光素子は、鍔部を含む入射部の一端側の面に対して対向配置されているので、当該鍔部以外のレンズの肉厚を発光素子の幅よりも薄くすることができる。これにより、レンズの成形性を良くして更に生産性を高めることができるとともに、レンズの容積を減らして更に材料コストを低減させることができる。
【００２０】
請求項６の考案によれば、鍔部における入射部の他端側の面は、少なくとも一部が、入射部の他端側へ傾斜する内向きのテーパー状に形成されているので、発光素子が鍔部に対向配置された場合であっても、この発光素子からレンズ内へ入射した光は、鍔部の他端側の面によって入射部の一端へ逆方向に反射されてしまうことなく、テーパー状部分で内向きに方向を変えるよう反射され、より確実に中抜き部の外周側のレンズ部分にガイドされて出射部まで伝播する。したがって、入射部の一端から出射部まで光を更に効率良く伝播させることができ、ひいては、更に効率良く発光することができる。
【００２１】
請求項７の考案によれば、レンズの出射部が尖頭状に形成されるので、この出射部によって基端側で丸く先端側で尖った光像がカバー部に投影される。その結果、従来に比較すると、更にろうそくの炎に近い形の光像が得られることになる。
【００２２】
また、レンズの光拡散部が半透明の橙色に着色されるとともに、レンズの入射部の一端側の側周面が青色に着色されているので、基端側から先端側に向かって青色から橙色に徐々に変化する光像がカバー部に投影される。その結果、従来に比較すると、更にろうそくの炎に近い色彩の光像が得られることになる。
【００２３】
請求項８の考案によれば、別々の点灯制御信号によって発光制御される第１発光素子及び第２発光素子からの光で形成される光像に、これら別々の点灯制御信号を所定の時間間隔で順次に切り替えて生成される他の点灯制御信号によって発光制御される第３発光素子からの光で形成される光像が加わるので、全体としての光像が大きく伸縮することとなり、ろうそくの炎の揺らぎ及び瞬きの様を表現することができる。
【考案を実施するための最良の形態】
【００２４】
以下、本考案の実施形態に係る電飾器を図面に基づいて説明する。
図１は、本考案の実施形態に係る電飾器の斜視図であり、図２は、図１の電飾器の分解斜視図であり、図３は、図１の電飾器の要部断面図である。
【００２５】
本考案の実施形態に係る電飾器１では、基台２の外周に付設された操作子３を左右に動作させることによって、消灯モード、ろうそくモード及び全灯モードを選択的に切り替えることができる。そして、基台２の上に着脱自在に付設されたカバー部４には、ろうそくモード及び全灯モードのときにはそれぞれ所定の光像が映し出される。具体的には、ろうそくモードのときには、カバー部４にはろうそくの炎のように瞬きをし揺らぎのある光像が映し出され、全灯モードのときにはろうそくの炎のような形状はしているが瞬き及び揺らぎの少ない光像が映し出される。
以下、この電飾器１の詳細を説明する。
【００２６】
基台２の内部には、電飾器１の電源となる電池（図示せず）と、発光素子点灯回路装置２０（図４参照）とが設置されている。このうち発光素子点灯回路装置２０については後に詳細に説明する。
【００２７】
基台２の上面には、複数の発光素子（ＬＥＤ）７，…が配線基板１０の上に略円状に配列されており、本実施形態では、８個の発光素子７，…が配列されている。この発光素子７，…は、レンズ６へ白色光を照射するようになっており、特に限定はされないが、チップタイプのものである。
この８個の発光素子７，…は、後述するように、ろうそくモードにおける発光態様の違いから、それぞれ第１〜第３発光素子７ａ〜７ｃに分類され、これら第１〜第３発光素子７ａ〜７ｃからなる第１〜第３発光素子群７１〜７３から構成されている。このうち、第１発光素子群７１は、隣接する３個の第１発光素子７ａ，…から構成されており、第２発光素子群７２は、第１発光素子群７１と同様に、隣接する３個の第２発光素子７ｂ，…から構成されている。一方、第３発光素子群７３は、配線基板１０上で対向する２個の第３発光素子７ｃ，７ｃから構成されており、第１発光素子群７１と第２発光素子群７２との間に配置されている。
【００２８】
また、基台２の上面にはレンズ立て５が設置されている。レンズ立て５はレンズ６を起立させるためのものである。このレンズ立て５は円筒状を呈し、下端には起立を容易にするための鍔部が形成されている。レンズ立て５の開口径は、８個の発光素子７，…を取り囲むことができる大きさとなっている。
ここで、レンズ立て５は全体が遮光性を有し、８個の発光素子７，…が外部から直接視認できないような構成となっている。なお、レンズ立て５の一部だけ遮光性を有する構成としても良い。必要なのは、８個の発光素子７，…からの光が直接に外部に漏れるのを防止することである。
【００２９】
レンズ６は、特に限定はされないが、アクリル樹脂又はガラスによって形成されている。このレンズ６はろうそくの炎の形状に似せた光像を形成するためのもので、発光素子７，…からの光が入射される入射部６１と、入射部６１の上端に連設されて光が出射される出射部６２とから構成されている。
レンズ６の内部には、入射部６１の下面の略中央に開口する中抜き部６ａが、レンズ６を一様な肉厚とするように穿設されている。このような中抜き部６ａを設けることにより、当該中抜き部６ａの分だけレンズ６の容積を減らして材料コストを低減することができる。また、レンズ６の肉厚が一様であるため、成形時の変形を抑制して少ないショット数でレンズ６を製造でき、生産性を高めることができる。但し、中抜き部６ａは、レンズ６の肉厚を一様にするものに限定されず、少なくとも入射部６１の内側面を含んで画成されていれば良い。
レンズ６のうちの入射部６１は、円筒状に形成されており、下端側半分ほどの着色部６１ａと、残る上端側半分ほどの透明部６１ｂとから構成されている。着色部６１ａは側周面が不透明の青色に着色されており、透明部６１ｂは無色透明となっている。この入射部６１が上記レンズ立て５の開口に差し込まれることによって、レンズ６はレンズ立て５に保持される。また、入射部６１は、発光素子７の幅よりも厚い肉厚に形成されており、８個の発光素子７，…が入射部６１の下面の外周縁に沿って当該下面に対向配置されるようにレンズ立て５に差し込まれている。
一方、出射部６２は、特に限定はされないが、円錐状に形成されている。そして、この出射部６２の外周面は、光を拡散させて出射させる光拡散面となっている。出射部６２の外周面を光拡散面とする手法としては、例えば、サンドブラスト法によって出射部６２の外周面に凹凸を形成する方法や、ヤスリで削ることによって出射部６２の外周面に筋状の凹凸を形成する方法のほか、光拡散フィルムを出射部６２の外周面に貼る方法などが挙げられる。また、この出射部６２の外周面は、半透明の橙色に着色されている。
なお、出射部６２は尖頭状に形成されていれば良い。より詳しくは、出射部６２は、先端は尖っていても良いが、多少丸まっているか、平らな部分があっても良い。例えば、平らな部分があれば、そこから光が上方に向けて抜けるので光像の高さが大きくなる。
【００３０】
レンズ６の中抜き部６ａには、円筒状の遮光部材８が遊嵌されている。この遮光部材８は、入射部６１と略同一の高さに形成されており、入射部６１の下面からレンズ６内へ入射した光が中抜き部６ａ内へ出射しないよう、入射部６１の内側面を遮光している。
なお、遮光部材８を設ける代わりに、例えば入射部６１の内側面を不透明に着色するなどして当該入射部６１の内側面を遮光しても良い。
【００３１】
カバー部４は、基台２の上面と、レンズ立て５に保持されたレンズ６とを覆うものである。このカバー部４は、コップを逆さまにした形状を呈している。このカバー部４の表面はスリガラス状で半透明となっている。
なお、カバー部４はレンズ６の外周を取り囲むものであれば良い。また、カバー部４は和紙などから構成されていても良い。更に、カバー部４を設けずに、投影レンズを通して光像を壁やスクリーンに投影するように構成しても良い。
【００３２】
次に、図４に基づいて発光素子点灯回路装置２０を説明する。
発光素子点灯回路装置２０は、基準信号発生部２１と、第１デューティ制御部２２と、第２デューティ制御部２３と、切り替え信号発生部２４と、駆動切り替え部２５と、点灯ドライバ２６とを含んで構成されている。この発光素子点灯回路装置２０の各部の構成を、ろうそくモードにある場合の働きと共に説明する。
【００３３】
基準信号発生部２１は、８個の発光素子７，…を駆動するための基準信号を生成するためのものである。この基準信号としては、特に限定はされないが、８．２５Ｈｚの方形波の信号が生成される。
第１デューティ制御部（点灯制御信号生成部）２２は、主に、上記基準信号に基づいて第１発光素子７ａの点灯制御信号を生成するためのものである。また、第２デューティ制御部（点灯制御信号生成部）２３は、主に、上記基準信号に基づいて第２発光素子７ｂの点灯制御信号を生成するためのものである。
ここに、第１デューティ制御部２２及び第２デューティ制御部２３は、基準信号発生部２１からの基準信号のデューティを特に限定はされないが図５に示す９８．７％〜図６に示す６％の間で周期的に変化させて、正弦波又は三角波の如く明暗を繰り返すように第１発光素子７ａ及び第２発光素子７ｂを発光させるためのものである。ただし、第１デューティ制御部２２から出力される点灯制御信号と第２デューティ制御部２３から出力される点灯制御信号とでは、デューティの変化の周期が異なっている。特に限定はされないが、第１デューティ制御部２２から出力される点灯制御信号ではデューティの変化の周期が０．１４Ｈｚ、第２デューティ制御部２３から出力される点灯制御信号ではデューティの変化の周期が０．２２Ｈｚとなっている。
切り替え信号発生部２４は、第３発光素子７ｃの駆動切り替えを行うためのタイミング信号を生成するためのものである。このタイミング信号としては、特に限定はされないが、図７に示す２．８５Ｈｚの方形波の信号が生成される。
駆動切り替え部（点灯制御信号生成部）２５は、第１デューティ制御部２２及び第２デューティ制御部２３の点灯制御信号に基づき第３発光素子７ｃの点灯制御信号を生成するためのものである。具体的には、駆動切り替え部２５は、切り替え信号発生部２４からの駆動切り替えタイミング信号のハイ、ローの切り替えタイミングで、第１デューティ制御部２２から出力される点灯制御信号と第２デューティ制御部２３から出力される点灯制御信号とを交互に切り替えてなる点灯制御信号を生成する。
点灯ドライバ２６は、点灯制御信号を反転させて第１〜第３発光素子７ａ〜７ｃに供与する。
以上によって、第１〜第３発光素子７ａ〜７ｃの発光は図８（Ａ），（Ｂ），（Ｃ）のように制御される。
【００３４】
以上、ろうそくモードにある場合の発光素子点灯回路装置２０の各部の働きを説明したが、全灯モードにある場合には、例えば、第１デューティ制御部２２及び第２デューティ制御部２３は、基準信号発生部２１からの基準信号のデューティを特に限定はされないが図５に示す９８．７％に固定させて点灯ドライバ２６に供与する。
【００３５】
次に、本考案の実施形態に係る電飾器１の作用及び効果を説明する。
操作子３が操作されて全灯モード又はろうそくモードが選択されると、図３に示すように、８個の発光素子７，…が発光し、この発光素子７，…から照射された光Ｌが入射部６１の下面からレンズ６内へ入射される。このとき、８個の発光素子７，…は、レンズ６の入射部６１の下面の外周縁に沿うように当該下面に対向配置されているので、内周側に配置されるよりも多くの発光素子７が配置されて十分な光量の光Ｌをレンズ６内へ入射させることができる。また、８個の発光素子がそれぞれに最も近い入射部６１の部位のみへ光Ｌを入射させるため、従来のようにカバー（レンズ）全体で光Ｌが一部反射することなく、効率良くレンズ６内へ光Ｌを入射させることができる。これにより、電飾器１は、従来の電飾器に比較して、より明るく発光することになる。
【００３６】
そして、入射部６１の下面からレンズ６内へ入射された光Ｌは、このレンズ６内を出射部６２まで伝播する。このとき、レンズ６に中抜き部６ａが設けられていることにより、光Ｌは、中抜き部６ａの外周側のレンズ６部分にガイドされて、速やかに、効率良く出射部６２まで伝播する。更に、入射部６１の内側面が遮光部材８で遮光されていることにより、光Ｌは、入射部６１の内側面からレンズ６外へ出射することなく、或いは出射しても速やかにレンズ６内へ反射されるため、より確実に中抜き部６ａの外周側のレンズ６部分にガイドされて、一層速やかに、効率良く出射部６２まで伝播する。
【００３７】
レンズ６内を出射部６２まで伝播した光Ｌは、外周の光拡散面から出射してカバー部４に光像を投影させる。図９は、第１〜第３発光素子７ａ〜７ｃを定電流で発光させた場合に、レンズ６を通してカバー部４に投影される光像を模式的に示した図である。
この図に示すように、第１〜第３発光素子７ａ〜７ｃを定電流で発光させた場合の光像は下側（基端側）が丸く上側（先端側）が尖った形状となる。実際のろうそくの炎は雫形状であり、この図９のレンズ６を使用した場合の光像に近いものである。なお、ちなみに、出射部６２を図９の場合よりも短くした場合には、光像の高さが小さくなる。あまり小さくなると横方向の寸法に対して高さ方向の寸法が足りなくなってろうそくの炎の形状とかけ離れるので、入射部６１の２倍以上とすることが好ましい。
また、この場合の光像は、入射部６１下端側の着色部６１ａを透過又は反射した光Ｌが出射部６２を出射して投影されるため、下側に向かうほど濃くなる青色と略一様な濃度の橙色との混色になる。つまり、下側から上側に向かって青色から橙色に徐々に変化する光像が得られ、従来の同一色の光像に比較すると、更に、ろうそくの炎に近い色彩の光像が得られることになる。
【００３８】
図１０は、ろうそくモードにおいてカバー部４に投影される光像を模式的に示した図である。
この図に示すように、ろうそくモードでの光像は、互いに異なる周期で明暗を繰り返す第１発光素子７ａと第２発光素子７ｂとの組み合わせによって生成される光像の揺らぎの上に、これら第１発光素子７ａ及び第２発光素子７ｂの発光状態を交互に取る第３発光素子７ｃの光像の揺らぎが加わるので、全体としての光像は上下方向に大きく伸縮することになるとともに、明るさも大きく変化する。その結果、ろうそくの炎が小さくなり一瞬消えかかった後、また勢いよく燃え盛るといった、ろうそくの炎の揺らぎ及び瞬きの様が表現できることになる。
【００３９】
［変形例］
続いて、上記実施形態に係る電飾器１の変形例について、図１１を参照して説明する。なお、上記実施形態と同様の構成要素には同一の符号を付し、その説明を省略する。
【００４０】
図１１は、本変形例における電飾器１の要部断面図である。
この図に示すように、本変形例における電飾器１は、上記実施形態におけるレンズ６に代えて、レンズ６Ａを備えている。
【００４１】
レンズ６Ａは、上記実施形態における入射部６１に代えて入射部６１Ａを備えており、入射部６１Ａは、上記実施形態における着色部６１ａに代えて着色部６１Ａａを備えている。入射部６１Ａの着色部６１Ａａは、その下端に外方へ張り出す鍔部６ｂが全周に亘って形成されており、この鍔部６ｂを含む入射部６１の下面に対して８個の発光素子７，…が対向配置されるようにレンズ立て５に差し込まれている。また、鍔部６ｂの上面は、上方へ傾斜する内向きのテーパー状に形成されている。レンズ６Ａは、上記以外の点については、上記実施形態のレンズ６と同様に構成されている。
なお、鍔部６ｂの上面は、少なくとも一部がテーパー状に形成されていれば良く、より詳しくは、発光素子７から照射される光Ｌの光軸との交点の近傍がテーパー状に形成されていれば良い。
【００４２】
上記のレンズ６Ａを備える電飾器１によれば、上記実施形態と同様の効果を奏するのは勿論のこと、鍔部６ｂを含む入射部６１の下面に対して８個の発光素子７，…が対向配置されているので、当該鍔部６ｂ以外のレンズ６の肉厚を発光素子７の幅よりも薄くすることができる。これにより、レンズ６の成形性を良くして生産性を高めることができるとともに、レンズ６の容積を減らして材料コストを低減させることができる。
また、鍔部６ｂの上面が上方へ傾斜する内向きのテーパー状に形成されているので、鍔部６ｂにおいてレンズ６内へ入射した光Ｌは、テーパー状の鍔部６ｂ上面によって内向きに方向を変えるよう反射され、より確実に中抜き部６ａの外周側のレンズ６部分にガイドされて出射部６２まで伝播する。したがって、入射部６１Ａの下面から出射部６２まで光Ｌを更に効率良く伝播させることができ、ひいては、更に効率良く発光することができる。
【００４３】
以上、本考案の実施形態及びその変形例について説明したが、本考案は、上記実施形態及びその変形例に限定されるものではなく、その要旨を逸脱しない範囲で種々変形可能であることはいうまでもない。
例えば、上記実施形態及びその変形例では、円筒状の入射部６１，６１Ａに円錐状の出射部６２を設けているが、角錐状の入射部６１，６１Ａに角錐状の出射部６２を設けても良いことは勿論である。
また、入射部６１，６１Ａの長さ方向に直交する断面と出射部６２の同一方向断面とは互いに同一又は相似の形となっているが、互いに異なっていても良い。
また、入射部６１，６１Ａの外周面と出射部６２の外周面とが連続している場合について説明したが、入射部６１，６１Ａと出射部６２とが連設されていれば境界部分に段差が形成されていても良い。
また、入射部６１，６１Ａは、円筒状に形成されたものとしたが、中抜き部６ａを入射部６１，６１Ａの上端まで貫通させずに、柱状に形成されたものとしてもよい。
また、複数の発光素子７，…は、図１２に示すように、それぞれ同数（図１２では３個）の第１〜第３発光素子７ａ〜７ｃから構成されて、これら第１〜第３発光素子７ａ〜７ｃが交互に並ぶように配置されていても良い。
また、上記実施形態では、入射部６１のうちの着色部６１ａの範囲は下端側の半分ほどとしたが、光像に反映させたい青色の度合いに応じて適宜調整しても良い。具体的には、光像に青色をより濃く反映させたければ着色部６１ａの範囲を入射部６１の上端側へ広げ、青色をより薄く反映させたければ着色部６１ａの範囲を入射部６１の下端側へ狭くすれば良い。
また、入射部６１に着色部６１ａを形成することにより光像に青色を混色させるものとしたが、着色部６１ａに代えて、当該着色部６１ａに相当するレンズ立て５の内周部分を青色に着色する構成としても良い。
【図面の簡単な説明】
【００４４】
【図１】本考案の実施形態に係る電飾器の斜視図である。
【図２】図１の電飾器の分解斜視図である。
【図３】図１の電飾器の要部断面図である。
【図４】図１の電飾器の発光素子点灯回路装置の構成を示す図である。
【図５】図１の電飾器の発光素子の点灯制御波形を示す図である。
【図６】図１の電飾器の発光素子の点灯制御波形を示す図である。
【図７】駆動切り替え波形を示す図である。
【図８】発光素子の発光の制御波形を示す図である。
【図９】実施形態に係るレンズ及び光像の模式図である。
【図１０】実施形態に係るレンズ及び光像変化の模式図である。
【図１１】実施形態の変形例に係る電飾器の要部断面図である。
【図１２】発光素子の配列の別例を示す平面図である。
【符号の説明】
【００４５】
１        電飾器
２        基台
３        操作子
４        カバー部
５        レンズ立て
６，６Ａ  レンズ
６ａ      中抜き部
６ｂ      鍔部
７        発光素子
７ａ      第１発光素子
７ｂ      第２発光素子
７ｃ      第３発光素子
８        遮光部材
１０      配線基板
２０      発光素子点灯回路装置
２１      基準信号発生部
２２      第１デューティ制御部（点灯制御信号生成部）
２３      第２デューティ制御部（点灯制御信号生成部）
２４      切り替え信号発生部
２５      駆動切り替え部（点灯制御信号生成部）
２６      点灯ドライバ
６１，６１Ａ      入射部
６１ａ，６１Ａａ  着色部
６１ｂ    透明部
６２      出射部
７１      第１発光素子群
７２      第２発光素子群
７３      第３発光素子群
Ｌ        光
【図１】
0003148965.tif 000003
【図２】
0003148965.tif 000004
【図３】
0003148965.tif 000005
【図４】
0003148965.tif 000006
【図５】
0003148965.tif 000007
【図６】
0003148965.tif 000008
【図７】
0003148965.tif 000009
【図８】
0003148965.tif 000010
【図９】
0003148965.tif 000011
【図１０】
0003148965.tif 000012
【図１１】
0003148965.tif 000013
【図１２】
0003148965.tif 000014